(57)【要約】【課題】抽出具内のコーヒー粉の偏りを軽減して、美味しいコーヒーを抽出することができるコーヒーメーカーを提供する。【解決手段】ケース本体２と、このケース本体２に設けられるミル１７と、このミル１７の落下口３２の下方に配置される抽出具としてのドリッパー８及びペーパーフィルターと、これらのドリッパー８及びペーパーフィルターに湯を供給するための湯供給部１８とを有して構成されるコーヒーメーカー１において、落下口３２がドリッパー８及びペーパーフィルターの中央部の上方に位置し、落下口３２の下方にコーヒー粉の分散手段１０１が設けられるから、コーヒー粉がドリッパー８及びペーパーフィルター内で山状にならないように均等に溜められ、コーヒーを良好に抽出することができる。【選択図】図２
2020116270.tif 000002
【特許請求の範囲】
【請求項１】
本体と、この本体に設けられるミルと、このミルの排出口の下方に配置される抽出具と、この抽出具に湯を供給するためのノズル体とを有して構成されるコーヒーメーカーにおいて、
前記排出口が前記抽出具の中央部の上方に位置し、前記排出口の下方にコーヒー粉の分散手段が設けられることを特徴とするコーヒーメーカー。
【請求項２】
前記ミルの排出口の下部に筒状体が設けられ、この筒状体に前記分散手段が設けられることを特徴とする請求項１記載のコーヒーメーカー。
【請求項３】
前記分散手段が、上方に凸となる凸面部を有することを特徴とする請求項１記載のコーヒーメーカー。
【請求項４】
前記凸面部が、上方に凸となる双半円錐部分を有することを特徴とする請求項３記載のコーヒーメーカー。
【請求項５】
前記凸面部が、軸が水平な双円錐であることを特徴とする請求項４記載のコーヒーメーカー。
【請求項６】
前記ミルが回転刃を有し、この回転刃の回転方向後側に前記凸面部を偏位させたことを特徴とする請求項３〜５のいずれか１項に記載のコーヒーメーカー。
【請求項７】
前記分散手段が前記凸面部と取付軸とを有し、これら凸面部と取付軸が回転体形状であり且つ金属で一体成形されることを特徴とする請求項３〜５のいずれか１項に記載のコーヒーメーカー。
【請求項８】
前記分散手段が導電材料で構成され、前記本体に電荷を一時的に貯める貯電部材が設けられ、前記分散手段が前記貯電部材と電気的に接続されることを特徴とする請求項１記載のコーヒーメーカー。
【発明の詳細な説明】
【技術分野】
【０００１】
本発明は、ミルを有するドリップ式のコーヒーメーカーに関するものである。
【背景技術】
【０００２】
従来、この種のコーヒーメーカーとしては、外装ケース（本願発明の本体に相当する）内に粉砕部（本願発明のミルに相当する）が設けられ、この粉砕部のコーヒー粉排出口の下方に抽出部（本願発明の抽出具に相当する）が設けられると共に、この抽出部に湯を注ぐ出湯口（本願発明のノズル体）が前記粉砕部のコーヒー粉排出口に隣接して設けられるコーヒーメーカーが知られている（例えば、特許文献１参照）。また、本体内にミル部（本願発明のミルに相当する）が設けられ、このミル部の通路部（本願発明のコーヒー粉排出口に相当する）の下方に抽出部（本願発明の抽出具に相当する）が設けられると共に、湯が前記通路部を通って前記抽出部に注がれるコーヒーメーカーも知られている（例えば、特許文献２参照）。
【先行技術文献】
【特許文献】
【０００３】
【特許文献１】特開２００９−１２５２５２号公報
【特許文献２】特開２０１６−２１４４３７号公報
【発明の概要】
【発明が解決しようとする課題】
【０００４】
ところで、ハンドドリップによってコーヒーを美味しく淹れるために、幾つかの方法が提案されている。何れの淹れ方でも、共通して、抽出具内のコーヒー粉が平らになるようにされる。この条件をコーヒーメーカーで再現することができれば、美味しいコーヒーを抽出することができると期待される。
【０００５】
しかしながら、前者のようなコーヒーメーカーでは、コーヒー粉が抽出部内で山状になることで、コーヒーを良好に抽出することが難しいという問題があった。一方、後者のようなコーヒーメーカーでは、コーヒー粉が抽出部内で山状になるばかりでなく、コーヒー粉が抽出部内で偏った貯まり方をすることで、コーヒーを良好に抽出することが難しいという問題があった。
【０００６】
本発明は以上の問題点を解決し、抽出具内のコーヒー粉の偏りを軽減して、美味しいコーヒーを抽出することができるコーヒーメーカーを提供することを目的とする。
【課題を解決するための手段】
【０００７】
本発明の請求項１に記載のコーヒーメーカーは、本体と、この本体に設けられるミルと、このミルの排出口の下方に配置される抽出具と、この抽出具に湯を供給するためのノズル体とを有して構成されるコーヒーメーカーにおいて、前記排出口が前記抽出具の中央部の上方に位置し、前記排出口の下方にコーヒー粉の分散手段が設けられるものである。
【０００８】
また、本発明の請求項２に記載のコーヒーメーカーは、請求項１において、前記ミルの排出口の下部に筒状体が設けられ、この筒状体に前記分散手段が設けられるものである。
【０００９】
また、本発明の請求項３に記載のコーヒーメーカーは、請求項２において、前記分散手段が、上方に凸となる凸面部を有するものである。
【００１０】
また、本発明の請求項４に記載のコーヒーメーカーは、請求項３において、前記凸面部が、上方に凸となる双半円錐部分を有するものである。
【００１１】
また、本発明の請求項５に記載のコーヒーメーカーは、請求項４において、前記凸面部が、軸が水平な双円錐のものである。
【００１２】
また、本発明の請求項６に記載のコーヒーメーカーは、請求項３〜５のいずれか１項において、前記ミルが回転刃を有し、この回転刃の回転方向後側に前記凸面部を偏位させたものである。
【００１３】
また、本発明の請求項７に記載のコーヒーメーカーは、請求項１において、前記分散手段が前記凸面部と取付軸とを有し、これら凸面部と取付軸が回転体形状であり且つ金属で一体成形されるものである。
【００１４】
更に、本発明の請求項８に記載のコーヒーメーカーは、請求項１において、前記分散手段が導電材料で構成され、前記本体に電荷を一時的に貯める貯電部材が設けられ、前記分散手段が前記貯電部材と電気的に接続されるものである。
【発明の効果】
【００１５】
本発明の請求項１に記載のコーヒーメーカーは、以上のように構成することにより、コーヒー粉が前記抽出具内で山状にならないようにして偏りを軽減できるので、コーヒーを良好に抽出することができる。
【００１６】
また、前記ミルの排出口の下部に筒状体が設けられ、この筒状体に分散手段が設けられることにより、構造を簡単にできるので、安価に作製することができる。
【００１７】
また、前記分散手段が、上方に凸となる凸面部を有することにより、コーヒー粉が前記抽出具内で山状にならないようにして偏りを軽減できるので、これにより、コーヒーをより良好に抽出することができる。
【００１８】
また、前記凸面部が、上方に凸となる双半円錐部分を有することにより、前記凸面部上にコーヒー粉が残り難くすることができる。
【００１９】
また、前記凸面部が、軸が水平な双円錐であることにより、コーヒー粉が前記抽出具内で山状にならないように均等に溜められると共に、前記分散手段の水平軸を中心として、いかなる角度で取付けても、上方に凸となる双半円錐部分を有することができるので、より安定した分散の効果が得られ、これにより、コーヒーをより良好に抽出することができる。
【００２０】
また、ミルが回転刃を有し、この回転刃の回転方向後側に前記凸面部を偏位させたことにより、コーヒー粉がより多く排出される場所に分散手段を設けることができるので、前記コーヒー粉の分散をより効率的に行うことができる。
【００２１】
また、分散手段が凸面部と取付軸とを有し、これら凸面部と取付軸が回転体形状であり且つ金属で一体成形されることにより、取付軸を細くすることができ、この取付軸がコーヒー粉の排出の妨げになることを抑えることができるばかりでなく、製造が容易で且つ強度を高めることができる。
【００２２】
更に、前記分散手段が導電材料で構成され、前記本体に電荷を一時的に貯める貯電部材が設けられ、前記分散手段が前記貯電部材と電気的に接続されることにより、前記ミルによって挽かれて帯電したコーヒー粉が前記分散手段に接触すると、前記コーヒー粉の電荷が前記分散手段から導電材料を通じて、前記貯電部材に移動した後、この貯電部材から外部に自然放電される。この結果、コーヒー粉同士が反発し難くすることができるので、コーヒー粉が抽出具から漏れ難くすることができる。
【図面の簡単な説明】
【００２３】
【図１】本発明の実施例１を示すコーヒーメーカーの前後方向の縦断面図である。
【図２】同上、左右方向の縦断面図である。
【図３】同上、斜視図である。
【図４】同上、右側面図である。
【図５】同上、一部を切り欠いた正面図である。
【図６】同上、要部の分解斜視図である。
【図７】同上、上部部分を取り外した状態の斜視図である。
【図８】同上、筒状体と分散手段の平面図である。
【図９】同上、図８のＡ−Ａ線断面図である。
【図１０】同上、筒状体と分散手段の側面図である。
【図１１】同上、分散手段周りの拡大断面図である。
【図１２】同上、上部の取付部材の斜視図である。
【図１３】同上、導電レバー周りの断面図である。
【図１４】本発明の実施例２を示す分散手段と筒状体の側面図である。
【図１５】本発明の実施例３を示す分散手段と筒状体の側面図である。
【図１６】本発明の実施例４を示す分散手段と筒状体の側面図である。
【図１７】本発明の実施例５を示す分散手段と筒状体の側面図である。
【発明を実施するための形態】
【００２４】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２５】
以下、本発明の実施例１について、図１〜図１３に基づいて説明する。１は、電動ミル付きのコーヒーメーカーである。このコーヒーメーカー１の本体たるケース本体２は、後側の立設部３と、この立設部３の下部と一体的に設けられた基部４と、前記立設部３の上部と一体的に設けられた前側の庇部５とを備える。そして、これら立設部３と基部４と庇部５は、それぞれ合成樹脂からなる。また、前記基部４の前部は、載置部４Ａとなる。そして、前記立設部３には、貯水部６が設けられる。
【００２６】
前記貯水部６の底部には、図１に示すように、前記貯水部６内の水を加熱する加熱手段７が設けられる。また、前記ケース本体２には、前記加熱手段７により加熱して得られた湯を、抽出具としてのドリッパー８に送る送湯手段９が設けられる。なお、この送湯手段９としては、ポンプ等が例示される。
【００２７】
また、前記ドリッパー８は、前記庇部５の下方に配置される。そして、前記ドリッパー８内には、抽出具としてのペーパーフィルター１０が交換可能に配置される。
【００２８】
前記載置部４Ａは、上方が開口すると共に、この開口を塞ぐように、略平面状の加熱板１１が設けられる。そして、この加熱板１１の下面には、ヒーター１２が熱的に接して設けられる。
【００２９】
前記加熱板１１上には、飲料サーバー１３が着脱可能に載置される。この飲料サーバー１３は、上方が開口した耐熱ガラス製の容器本体１４と、この容器本体１４の側板に取り付けられた合成樹脂製の把持部１５と、前記容器本体１４の上部開口を覆う合成樹脂製の蓋体１６とを備える。
【００３０】
前記立設部３の前方には、前記載置部４Ａの飲料サーバー１３の上方に、上からミル１７と、ノズル体たる湯供給部１８と、抽出具たる前記ドリッパー８と、前記飲料サーバー１３とが配置される。また、前記ミル１７は、前記ケース本体２の取付凹部１９に対して着脱可能に取り付けられる。なお、前記取付凹部１９は前記庇部５の上面前側に形成される。更に、前記湯供給部１８は、前記庇部５の下部側に位置する。
【００３１】
前記ケース本体２には、導電材料からなる接触部材たる導電レバー２１が設けられる。そして、前記ドリッパー８は、導電材料、好ましくは導電性合成樹脂から構成される。前記ドリッパー８は、図１に示すように、前記ミル１７からコーヒー粉が供給される位置で前記導電レバー２１に接触する。一方、前記ケース本体２には、電荷を一時的に貯める貯電部材たる導電材料製の底板２２が設けられる。この例では、前記底板２２はステンレス板により構成される。そして、この底板２２は、導線２３を介して前記導電レバー２１と電気的に接続される。なお、前記底板２２は平板状をなし、前記ケース本体２の外面に露出する。
【００３２】
また、ステンレス製の前記底板２２は、前記ケース本体２を構成する合成樹脂より比重が大きいので、錘になる。このため、前記コーヒーメーカー１を安定して設置することができる。
【００３３】
前記底板２２は、図１に示すように、ケース本体２の底面を構成する。そして、前記底板２２と前記導電レバー２１とは、前述したとおり、前記導線２３により電気的に接続される。
【００３４】
前記ミル１７は、コーヒー豆を粉砕するものである。そして、前記ミル１７は、上部に投入口２４を有するホッパー２５を備えると共に、前記投入口２４を開閉するミル蓋体２６を備える。また、前記ホッパー２５にはコーヒー豆が投入され、このコーヒー豆は、シューター部２７に送られる。このシューター部２７に送られたコーヒー豆は、ミルモーター３５（図７）により回転させられるミルスクリュー２９により回転刃３０と固定刃３１との間に向けて送られる。更に、コーヒー豆は、前記回転刃３０と固定刃３１との間で挽かれて、前記コーヒー粉（挽き豆）となる。なお、図２において、前記回転刃３０は反時計回り方向に回転する。また、本実施例のミル１７は、金属製円板からなる前記回転刃３０と固定刃３１を用いる臼歯式であるが、ブレードが回転してコーヒー豆を挽くタイプのミルであってもよい。
【００３５】
また、前記ミル１７の下部には排出口たる落下口３２が一体に設けられ、この落下口３２から前記コーヒー粉が前記ドリッパー８内に落下供給される。なお、前記落下口３２は円筒状である。
【００３６】
前記ミルモーター３５は、前記ケース本体２に内蔵される。前記ミルモーター３５により回転駆動するミル駆動ギア３６は、前記取付凹部１９に臨んで設けられると共に、前記ミル駆動ギア３６に噛合するミル従動ギア３７がミル１７に設けられる。そして、前記ミル１７を前記取付凹部１９に着脱することにより、前記ミル駆動ギア３６とミル従動ギア３７の噛合と噛合解除とが行われる。
【００３７】
また、前記ミル１７には、図１に示すように、前記コーヒー粉の粉砕度合（粒度）を調整する粒度調整手段３８が設けられ、操作部である回動式のダイヤル３９を有する。前記粒度調整手段３８は、前記回転刃３０の前面と固定刃３１の後面との間隔を調整することにより、コーヒー粉の粉砕度合を調整するものである。そして、前記ダイヤル３９を回動させることにより、前記回転刃３０の前面と固定刃３１の後面との間隔を調整することができる。
【００３８】
前記載置部４Ａの前部には、斜めの前面部４１が設けられる。この前面部４１には、前記コーヒーメーカー１を使用する際に操作されるスイッチ４２が複数配置される。また、図４などに示すように、前記載置部４Ａの右側面には、電源のオン・オフを操作する電源スイッチ４３が配置され、家庭用電源によりコーヒーメーカー１が駆動する。
【００３９】
前記落下口３２が前記ドリッパー８の中央部の上方に位置する。また、ノズル体たる前記湯供給部１８は、前記落下口３２を中心に回転可能に設けられる環状のノズル本体５１と、このノズル本体５１の下部に設けられる吐出口５２とを有すると共に、図２に示すように、前記ノズル本体５１を回転させるための電動機たるノズル用のモーター５３を有する。
【００４０】
前記ノズル本体５１は、前記庇部５の庇部底板５Ｋの下面に着脱可能で且つ回転可能に設けられ、前記庇部底板５Ｋの下面には、前記ノズル本体５１の周囲を囲む取付筒状部５４が下方に突設される。
【００４１】
前記ノズル本体５１は、図６及び図１１などに示すように、円環状の底板部５５と、この底板部５５の周囲から上方に突設された周壁部５６と、この周壁部５６の外面に一体に設けられた複数の歯部５７から構成された従動ギア５８とを備える。なお、この従動ギア５８の回転中心は縦方向をなす。また、前記底板部５５は、その中心を挟んで、一側（図１１における左側）が、他側（図１１における右側）よりもやや低くなるように形成される。
【００４２】
前記ノズル本体５１は、前記ミル１７の前記落下口３２を中心として回転する。前記ノズル本体５１の中心には、前記落下口３２に対応して、上方に向かって中央筒部６１が突設される。この中央筒部６１の内部には上下に貫通する透孔が設けられると共に、前記中央筒部６１の上縁内周には内鍔部６２が周設される。そして、前記ノズル本体５１内には、湯が供給される湯受け空間６３が設けられる。また、前記底板部５５には筒体６４が縦設され、この筒体６４の内部には貫通した透孔が形成される。この透孔はオーバーフロー孔６５であり、何らかの理由で前記吐出口５２が詰まった際に前記湯受け空間６３内の湯を排出するためのものである。なお、前記湯受け空間６３には、前記筒体６４の上端まで湯を入れることができる。また、図１において、符号Ｓは、前記落下口３２の中心であり、この中心Ｓは前記ノズル本体５１の回動中心でもある。そして、前記中心Ｓは、前記ドリッパー８の中心と略一致する。
【００４３】
また、前記庇部底板５Ｋには、受筒部６６が下方に向かって突設される。この受筒部６６の内部には、上下に貫通する透孔が設けられる。そして、前記受筒部６６の上部には、庇部底板５Ｋより一段低い上向きの段部６７が設けられる。なお、前記受筒部６６は、前記取付筒状部５４と同心円状に配置される。また、前記受筒部６６は、前記落下口３２の下方で、この落下口３２と中心Ｓを同一とする。
【００４４】
図５及び１１などに示すように、前記ノズル本体５１の前記底板部５５には、複数（３個）のノズル７１，７１Ａ，７１Ｂが一体に形成される。これらノズル７１，７１Ａ，７１Ｂには、それぞれ前記吐出口５２が設けられる。これらの吐出口５２は、前記ノズル本体５１の回動中心Ｓに向けて斜設される。
【００４５】
この例では、３個のノズル７１，７１Ａ，７１Ｂが、前記底板部５５に、中心Ｓを中心とした周方向に等間隔で近接して配置され、更に、３個のノズル７１，７１Ａ，７１Ｂが前記底板部５５の径方向にずらして配置される。即ち、３個のノズル７１，７１Ａ，７１Ｂは前記中心Ｓから異なる位置にある。具体的には、周方向に隣り合うノズル７１，７１Ａは、周方向一方側のノズル７１が周方向他方側のノズル７１Ａよりも中心Ｓから離れた位置にある。同様に、周方向に隣り合うノズル７１Ａ，７１Ｂは、周方向一方側のノズル７１Ａが周方向他方側のノズル７１Ｂよりも中心Ｓから離れた位置にある。なお、複数の７１，７１Ａ，７１Ｂは、ノズル本体５１の中心Ｓに対して、平面視で９０°以内の範囲に配置される。
【００４６】
また、前記各ノズル７１，７１Ａ，７１Ｂは、図１１に示すように、前記底板部５５の一側に配置され、また、前記筒体６４は、前記底板部５５の他側に配置される。そして、前記ノズル本体５１の前記湯受け空間６３に湯を供給すると、この湯受け空間６３内の湯が少量になっても、前記底板部５５の低い側に設けられた前記各ノズル７１，７１Ａ，７１Ｂへと湯が集まる。なお、複数のノズル７１，７１Ａ，７１Ｂの吐出口５２，５２，５２は、前記回動中心Ｓに対して、同じ角度をなして斜設される。
【００４７】
従って、後述するように、前記ノズル本体５１が回転している状態で、複数の前記ノズル７１，７１Ａ，７１Ｂから吐き出された湯は、前記ドリッパー８の中心から異なる位置に落下する。即ち、複数の前記ノズル７１，７１Ａ，７１Ｂから吐き出された湯は、前記回動中心Ｓを中心とした同心円を描く。従って、前記ドリッパー８に均一に湯を供給することができる。
【００４８】
前記庇部底板５Ｋの受筒部６６には、図６などに示すように、上方から上部の取付部材７２が取り付けられる。この取付部材７２は、本体側筒部７３と、押さえ鍔部７４と、外筒部７５と、外鍔部７６とを一体に有する。前記本体側筒部７３は、前記ノズル本体５１の前記内鍔部６２に挿入される。また、前記押さえ鍔部７４は、前記本体側筒部７３の高さ方向中央に周設される。また、前記外筒部７５は、前記押さえ鍔部７４の外周に突設されると共に、前記本体側筒部７３と同心円に形成される。更に、前記外鍔部７６は、前記外筒部７５の上縁に設けられて、前記段部６７内に嵌入される。そして、前記本体側筒部７３と外鍔部７６との間に、上部が開口したリング状の溝部７７が設けられる。
【００４９】
前記外鍔部７６には、外周側に膨出する一対の膨出部７６Ａ，７６Ａが設けられ、これら一対の膨出部７６Ａ，７６Ａに取付ボス部７８と接続ボス部７９が突設される。また、前記溝部７７内には、弾性を有するシール部材８０が配置される。
【００５０】
そして、上方から前記受筒部６６内に前記本体側筒部７３を挿入すると共に、前記外鍔部７６を前記段部６７に載せ、取付ボス部７８に挿通したビス７８Ａ（図７）を庇部底板５Ｋ側の図示しないビス孔に螺合することにより、前記庇部底板５Ｋに前記取付部材７２が取り付けられる。そして、前記取付部材７２の取付状態で、前記本体側筒部７３の下部が受筒部６６の下端から下方に突出する。
【００５１】
取付状態の前記取付部材７２には、図６などに示すように、下部の取付部材である筒状体８１が着脱可能に設けられる。この筒状体８１は、前記ノズル本体５１をケース本体２に取り付けるための取付体である。前記筒状体８１は、バヨネット結合などの回動結合機構８２（図１１）により前記本体側筒部７３に着脱可能に取り付けるための取付筒部８３を有する。この取付筒部８３には、後述する分散手段１０１を取り付ける取付腕部８４が下方に伸びて一体に突設される。なお、この取付腕部８４は角柱状をなす。このように、前記ミル１７の排出口である落下口３２の下部に設けられる前記筒状体８１に分散手段１０１が設けられることにより、構造を簡単にできるので、分散手段１０１を取り付けるための構造体を安価に作製することができる。また、前記取付筒状部５４内には、前記モーター５３により回転する駆動ギア（図示せず）の一部が臨んで設けられ、この駆動ギアが前記ノズル本体５１の前記従動ギア５８に歯合する。
【００５２】
そして、前記ノズル本体５１の中央筒部６１に、前記取付部材７２の本体側筒部７３を挿通して前記ノズル本体５１を前記周壁部５６内に配置すると共に、前記駆動ギアに前記従動ギア５８を歯合させ、前記本体側筒部７３の下部に前記取付筒部８３を取り付ける。これにより、前記ノズル本体５１の内鍔部６２が前記押さえ鍔部７４と取付筒部８３の上端により上下から挟まれて保持される。この結果、前記ケース本体２に対して前記本体側筒部７３を中心に前記ノズル本体５１が回転可能に取り付けられる。なお、前記押さえ鍔部７４は、前記ノズル本体５１の回転支持部たる内鍔部６２の浮き上がりを防止する押さえ部である。そして、前記筒状体８１を前記ケース本体２に取り付けた状態で、前記落下口３２と取付筒部８３が連通する。
【００５３】
なお、前記送湯手段９から前記送液路（図示せず）を通して前記湯受け空間６３に湯が送られる。この場合、前記ノズル本体５１の湯受け空間６３に対応して、前記庇部底板５Ｋに湯供給筒（図示せず）が設けられ、この湯供給筒を通って前記ノズル本体５１の上部開口から前記湯受け空間６３に湯が供給される。
【００５４】
前記庇部底板５Ｋの上面には複数のボス部（図示せず）が設けられ、これらボス部に平面長方形形状の接続筒取付体８６が固定される（図７）。この接続筒取付体８６はシャッターカバーであり、後述するシャッター９１の上部を覆って設けられる。前記接続筒取付体８６には、前記本体側筒部７３に対応して、接続筒８７が一体に設けられる。また、この接続筒８７には、前記ミル１７の前記落下口３２が着脱可能に挿入接続される。そして、前記ミル１７を前記取付凹部１９に取り付けることにより、前記接続筒８７内に前記落下口３２が挿入接続される。
【００５５】
また、前記接続筒８７の下方には、この接続筒８７の下端を開閉するシャッター９１が設けられる。このシャッター９１は板片状をなし、前記庇部底板５Ｋの上面に沿って水平方向に進退して前記落下口３２を開閉する。このために、前記シャッター９１には前記接続筒８７に連通する透孔９１Ｔが穿設される。また、図１１に示すように、前記庇部底板５Ｋの上面には、前記シャッター９１を幅方向から挟んで案内する案内枠部９２が設けられる。また、前記シール部材８０は、前記シャッター９１の下面に接する。これによって、前記シール部材８０がシャッター９１の下面と前記庇部底板５Ｋの上面との間の隙間を塞ぐ。なお、前記シャッター９１は、前記シール部材８０に摺動して進退する。
【００５６】
前記ケース本体２は、図７に示すように、前記シャッター９１を駆動するためのシャッター駆動手段９３を備える。このシャッター駆動手段９３は、モーター９４と前記シャッター９１の前進位置と後退位置を検出する検出手段９５を備える。なお、前記シャッター９１は、前記コーヒーメーカー１の左斜め前から右斜め後に進退する。
【００５７】
そして、前記モーター９４の駆動により、前記シャッター９１が前進して前記接続筒８７と前記シャッター９１の透孔９１Ｔが連通することで、前記接続筒８７が開成された状態になる（シャッター９１の前進位置）。ここから前記モーター９４が更に駆動すると、前記シャッター９１が後退して前記接続筒８７と前記シャッター９１の透孔９１Ｔとの位置がずれ、前記接続筒８７が閉成する（シャッター９１の後退位置）。なお、前記シャッター９１の前進位置及び後退位置を前記検出手段９５が検出することで、前記モーター９４の駆動が制御される。
【００５８】
排出口たる前記落下口３２の下方には、コーヒー粉の分散手段１０１が設けられる。この分散手段１０１は、前記筒状体８１に設けられる。前記分散手段１０１は、前記落下口３２の下方に配置する分散部たる凸面部１０２と、この凸面部１０２を前記筒状体８１に固定する固定部１０３とを有する。なお、図５では、前記本体側筒部７３，前記筒状体８１及び前記分散手段１０１を図示省略している。また、前記凸面部１０２は、取付状態において、上に凸となる面を有する部材である。
【００５９】
また、前記落下口３２から前記取付筒部８３の下端までが、前記ケース本体２内の内部落下路３３であり、前記取付筒部８３の下端から前記ドリッパー８の内部までが、外部落下路３４である。これら内部落下路３３と外部落下路３４をコーヒー粉が落下する。そして、前記外部落下路３４において、前記取付筒部８３の下端より下方で且つ前記ドリッパー８の上縁より上方に前記分散手段１０１を設けたから、コーヒー粉の分散効果を確保できる。
【００６０】
図１などに示すように、装着状態の前記ドリッパー８と前記ノズル本体５１との間には、隙間１０５が設けられる。そして、この隙間１０５から、前記ドリッパー８内のコーヒー粉に湯が注がれて膨らむ様子を見せる演出効果が得られる。
【００６１】
図１に示すように、前記飲料サーバー１３の蓋体１６には、前記ドリッパー８の下部を装着する装着受け部１０６が設けられる。また、前記ドリッパー８の下部側には、前記蓋体１６の前記装着受け部１０６に装着する装着部１０７が設けられる。そして、前記蓋体１６の装着受け部１０６に、前記ドリッパー８の下部の装着部１０７を遊嵌することにより、前記飲料サーバー１３に前記ドリッパー８を安定して装着することができる。
【００６２】
また、前記容器本体１４の底板部１０８には、該容器本体１４より径小なリング状の段差部１０９が下方に膨出形成され、この段差部１０９が遊嵌するリング状の内縁枠１１０が、前記加熱板１１の上面に突出形成される。従って、前記加熱板１１の上面に前記飲料サーバー１３を載置すると、前記内縁枠１１０内に前記段差部１０９が嵌り、前記飲料サーバー１３の水平位置が位置決めされる。
【００６３】
前記ドリッパー８は、導電材料たる導電性合成樹脂からなり、図１などに示すように、前後方向に細長く形成された底部１１１と、この底部１１１の周囲から上方に向かって略テーパー状に拡大形成された側板部１１２と、この側板部１１２の上縁前部に設けられた横方向の把持部１１３とを一体に備える。なお、前記把持部１１３は板片状をなす。
【００６４】
図２及び図３に示すように、前記側板部１１２の内周には、複数のリブ部１１４が周方向に間隔をおいて突出形成される。このように、複数の前記リブ部１１４を縦設することにより、前記ペーパーフィルター１０の外周は、前記側板部１１２に密着することなく、複数の前記リブ部１１４に部分的に接触する。
【００６５】
図１に示すように、前記底部１１１には、抽出されたコーヒー液が落下する複数の透孔１１５が穿設される。これら複数の透孔１１５は、前記蓋体１６にドリッパー８を装着した状態で、前記蓋体１６の中央開口部１６Ａに連通する。
【００６６】
前記透孔１１５の下端は、前記底部１１１の下面から下方に突出した筒部１１６の内部に形成される。このように、前記筒部１１６を設けることにより、前記透孔１１５を落下するコーヒー液が前記底部１１１の下面に回り込むことなく、前記筒部１１６の下端から下方へ落下する。
【００６７】
前記導電レバー２１は、金属製の線材を略Ｕ字形に屈曲して形成される。詳述すると、前記導電レバー２１は、縦方向の左右の腕部１２１，１２１の下端を湾曲状の横部１２２により連結し、左右の前記腕部１２１，１２１の縦方向中央に屈曲部１２３，１２３を設けて形成される。この結果、前記導電レバー２１は、正面視で略コ字形であり、側面視で略へ字状である。そして、図１３に示す前記導電レバー２１の待機位置で、前記腕部１２１，１２１の上部が略垂直な縦方向になると共に、前記腕部１２１，１２１の下部が斜め前向きになるように構成される。
【００６８】
また、前記庇部５の庇部底板５Ｋの後側には、前記導電レバー２１が遊挿配置された開口部１２４が設けられる。この開口部１２４の近傍において、左右方向の枢軸部（図示せず）により、前記導電レバー２１が前記ケース本体２に揺動可能に枢着される。なお、前記開口部１２４には、前記腕部１２１，１２１の上部が挿通され、これらの腕部１２１，１２１の上端側が前記ケース本体２内に配置される。
【００６９】
そして、図１に示す前記ドリッパー８の装着状態では、このドリッパー８に押された前記導電レバー２１は、下部側が後方に移動するように回動し、前記横部１２２が前記ドリッパー８の側板部１１２の外面に当接する。一方、前記腕部１２１は前記ドリッパー８に当接しない。
【００７０】
前記コーヒーメーカー１は、前記電源スイッチ４３がオンであっても、前記導電レバー２１が待機位置にある場合、前記ミル１７，サーバー加熱手段たる前記ヒーター１２及び前記送湯手段９が作動しないように制御される。一方、前記導電レバー２１がドリッパー装着位置にある場合、電気で駆動する装置の全てを駆動することができる。
【００７１】
前記導電レバー２１の上端には、固定手段たるビス（図示せず）により、前記導線２３の一端が連結される。また、前記導線２３の他端は、固定手段たるビス１３２とナット１３３により、前記底板２２の上面に連結される。このように、前記導線２３は、前記ケース本体２に内蔵される。また、前記底板２２は、前記ケース本体２の底面全体を構成するように広く形成される。そして、前記底板２２の前後左右には、合成樹脂製の脚部１３４が設けられる。なお、前記導線２３は、前記導電レバー２１を可動にする程度の可撓性を有する。
【００７２】
図１３などに示すように、左右の前記腕部１２１，１２１の上部には、合成樹脂製のホルダー１３５が外嵌される。このホルダー１３５は、ビスにより前記腕部１２１，１２１に固定される。なお、前記導線２３は前記腕部１２１，１２１に電気的に接続される。
【００７３】
また、前記開口部１２４には、シリコンゴムやエラストマー樹脂等からなるシール部材１３６が設けられ、このシール部材１３６に前記左右の前記腕部１２１，１２１が挿通される。この結果、左右の前記腕部１２１，１２１は、水密状態で前記開口部１２４に挿通されると共に、前記シール部材１３６が弾性変形することにより揺動可能となる。
【００７４】
また、前記導電レバー２１を待機位置側に回動付勢する付勢手段たるコイルスプリング（図示せず）が設けられる。なお、前記ホルダー１３５がケース本体２側のストッパ（図示せず）に当接することにより、前記導電レバー２１のそれ以上の揺動が阻止されるので、前記導電レバー２１が待機位置に位置決めされる。
【００７５】
また、前記ケース本体２には、接触検知スイッチ１３９が設けられる。前記導電レバー２１が図１３に示す待機位置にある場合、前記ホルダー１３５の検知部１３５Ａの凹部に前記接触検知スイッチ１３９の作動子１３９Ｓが当接して、前記スイッチ１３９がオフ状態となる。この結果、前記接触検知スイッチ１３９により、前記導電レバー２１が待機位置であることが検知される。一方、前記導電レバー２１が図１及び図４に示す、前記ドリッパー８の装着位置にある場合、前記導電レバー２１が揺動し、前記作動子１３９Ｓが前記検知部１３５Ａの凸部に押されて、前記接触検知スイッチ１３９がオンになる。この結果、前記接触検知スイッチ１３９により、前記導電レバー２１が装着位置であることが検知される。
【００７６】
このように、前記導電レバー２１は、前記ドリッパー８の有無、即ち、前記蓋体１６に前記ドリッパー８が装着された状態で、前記飲料サーバー１３が前記加熱板１１に載せられたか否かを検知する検知手段を兼ねる。
【００７７】
上述したように、前記導電レバー２１は、待機位置と装着位置との間で揺動する。この際、前記シール部材１３６が変形することにより、前記開口部１２４における水密性が確保されるので、該開口部１２４からケース本体２の内部に湯気や埃が侵入することが防止される。
【００７８】
次に、本発明の特徴構成である前記分散手段１０１の詳細について説明する。この例では、前記凸面部１０２は双円錐である。双円錐とは、２つの円錐部分１４１，１４１を合同な底面同士で連結して一体化した立体であり、２つの円錐部分１４１，１４１の連結箇所が赤道面１４２となる。そして、この赤道面１４２は円形である。端的に言えば、双円錐とは、算盤の珠のような形状である。なお、本例では、２つの円錐部分１４１，１４１は合同である。また、前記双円錐の軸たる中心軸１４３を水平方向に配置した状態で、前記凸面部１０２の上半分が双半円錐部分１４４である。また、前記凸面部１０２は、前記中心軸１４３を中心とした回転体形状をなす。
【００７９】
前記中心軸１４３は、前記ケース本体２の左右方向に配置される。この左右方向の中心軸１４３に対して、前記ケース本体２の前後方向に配置された前記回転刃３０の軸芯は交差方向、この例では直交方向に配置される。また、双円錐である前記凸面部１０２は、前記中心軸１４３を含む垂直面に対して面対称をなす。なお、以下に説明する他の実施例の凸面部も同様に面対称をなす。
【００８０】
前記円錐部分１４１の先端部１４６の角度θは略９０度である。また、前記先端部１４６は使用者が触る可能性があるので、安全のため湾曲状に形成される。同様に、前記赤道面１４２の外周は、面取り加工が施され、円錐部分１４１，１４１の側面同士のなす角度θＳは略９０度である。このように、角度θを設定することにより、凸面部１０２の上部にコーヒー粉が溜まることを防止でき、凸面部１０２上にコーヒー粉が残り難くなる。なお、この例のように２つの合同な円錐部分１４１，１４１からなる双円錐の場合、前記角度θＳにより前記角度θが決まる。
【００８１】
前記固定部１０３は、前記凸面部１０２と一体に設けられた取付軸１５１を備え、この取付軸１５１は前記中心軸１４３と同軸状である。従って、一体に形成された前記取付軸１５１と凸面部１０２は、前記中心軸１４３を中心とした回転体形状をなす。このように、前記取付軸１５１と凸面部１０２を、前記中心軸１４３を中心とした回転体形状とすることで、水平軸である前記中心軸１４３を中心として、いかなる角度で前記取付腕部８４に前記分散手段１０１を取り付けても、上方に凸となる双半円錐部分１４４を有することができるので、より安定した分散の効果が得られる。また、前記取付軸１５１と凸面部１０２を、前記中心軸１４３を中心とした回転体形状で且つ金属で一体成形することにより、製造が容易で且つ強度を高めることができる。
【００８２】
前記取付軸１５１を一体に設けた凸面部１０２は導電材料からなり、この例では真鍮製である。なお、前記取付軸１５１は円柱形状をなし、この取付軸１５１の直径は、前記凸面部１０２の直径の１／３以下、好ましくは１／４以下であり、金属製としたことにより強度を確保できるため、このように取付軸１５１を細いものにすることができる。そして、このように前記取付軸１５１を細くすることができるので、前記取付軸１５１がコーヒー粉の排出の妨げになることを抑えることができる。
【００８３】
前記取付軸１５１の基端側には、前記筒状体８１の取付腕部８４への取付部が設けられる。この取付部は、取付軸１５１の基端に設けられた雄螺子部１５２と、この雄螺子部１５２に螺合するナット１５３と、前記筒状体８１の取付腕部８４の内面に当接する鍔部１５４とを備える。また、前記取付筒部８３の取付腕部８４の下部側には、前記雄螺子部１５２が挿通される透孔１５６と、この透孔１５６に連通して前記取付腕部８４の外面側に形成される収納凹部１５７とが設けられる。この収納凹部１５７に前記ナット１５３が収納されると共に、このナット１５３が前記収納凹部１５７の内面に係合して回り止め状態となる。なお、前記透孔１５６は前記取付筒部８３の直径方向に形成される。また、前記鍔部１５４とナット１５３により前記取付腕部８４を締め付けて、この取付腕部８４に前記分散手段１０１を固定する締付固定手段を構成している。
【００８４】
前記分散手段１０１を前記筒状体８１に取り付ける際には、前記収納凹部１５７内にナット１５３を配置し、内側から前記透孔１５６に挿通した前記雄螺子部１５２を前記ナット１５３に螺合させ、このナット１５３と前記鍔部１５４により前記透孔１５６の周囲を締め付けて固定する。このように、前記取付軸１５１と共に前記凸面部１０２を回して前記分散手段１０１の取り付けを行っても、この分散手段１０１が回転体形状をなすため、前記中心軸１４３を中心とした前記凸面部１０２の向きを気にすることなく、取り付けることができる。
【００８５】
前記回動結合機構８２の本体側は、図１２に示すように、上部の前記取付部材７２の本体側筒部７３の下端外周に幅狭な突起状嵌合部１６１と幅広な突起状嵌合部１６２を設け、これら突起状嵌合部１６１，１６２は板片状をなし、周方向に離れて対向した位置に配置される。
【００８６】
また、前記回動結合機構８２の筒状体８１側は、図８及び図９などに示すように、前記筒状体８１の取付筒部８３の上部に嵌合受け部１６３，１６４を設け、前記筒状体８１を回動することにより、前記嵌合受け部１６３，１６４に前記突起状嵌合部１６１，１６２が着脱可能に連結される。
【００８７】
前記嵌合受け部１６３，１６４について詳述する。前記筒状体８１の取付筒部８３の上端内周には、前記本体側筒部７３に外嵌する外嵌部１６５が設けられる。この外嵌部１６５は、前記取付筒部８３の下部側に比べて内面側に膨出して肉厚に形成される。そして、前記外嵌部１６５の内面側に、前記突起状嵌合部１６１，１６２を取付筒部８３の中心軸方向から挿通する挿通溝部１６６，１６６Ａがそれぞれ設けられる。また、これら挿通溝部１６６，１６６Ａの下部の周方向一側には、前記突起状嵌合部１６１，１６２の上面が係止する下向き段部１６７，１６７Ａが略水平に設けられる。更に、これら下向き段部１６７，１６７Ａの反挿通溝部側には、前記突起状嵌合部１６１，１６２の縁部が当接する当接部１６８，１６８Ａがそれぞれ設けられる。そして、図１１に示すように、前記筒状体８１を前記本体側筒部７３に取り付けた状態で、前記取付筒部８３の上縁面８３Ｊが前記内鍔部６２の下面に当接し、前記上縁面８３Ｊにより前記ノズル本体５１が回転可能に支持される。
【００８８】
このように、前記筒状体８１の取付筒部８３の上縁面８３Ｊは、前記ノズル本体５１の中央部である前記内鍔部６２を回転可能に支持する回転支持部であり、前記内鍔部６２が被回転支持部である。なお、前記取付筒部８３の外周には滑り止め部たる凹部８３Ｓが周方向に間隔を置いて縦設されるので、前記筒状体８１の回動操作が容易となる。
【００８９】
また、前記取付部材７２は、前記膨出部７６Ａ，７６Ａを有する外鍔部７６が前記段部６７に内嵌することにより、突起状嵌合部１６１，１６２が位置決めされた状態で前記ケース本体２に取り付けられる。そして、前記突起状嵌合部１６１，１６２の上面が前記下向き段部１６７，１６７Ａに係止すると共に、前記突起状嵌合部１６１，１６２の縁部が前記当接部１６８，１６８Ａに当接した取付状態で、前記分散手段１０１の中心軸１４３が左右方向に位置決めされるように、前記回動結合機構８２が構成される。
【００９０】
従って、上述したように、前記本体側筒部７３に前記ノズル本体５１をセットした後、下方から前記本体側筒部７３の突起状嵌合部１６１，１６２に前記挿通溝部１６６，１６６Ａを挿通し、前記筒状体８１を図９の矢印方向に回すことにより、前記嵌合受け部１６３，１６４に前記突起状嵌合部１６１，１６２が嵌合し、前記突起状嵌合部１６１，１６２の縁部が前記当接部１６８，１６８Ａに当接する位置で前記分散手段１０１が正しく左右方向に位置合わせされる。なお、幅広な前記突起状嵌合部１６２は、これより幅狭な前記挿通溝部１６６を通らないため、誤って前記分散手段１０１を左右逆に取り付けることがない。
【００９１】
また、図２に示すように、前記分散手段１０１は、前記回転刃３０の回転方向後側である前記ケース本体２の右側に、前記分散手段１０１の凸面部１０２の赤道面１４２を偏位させる。この例では、前記取付軸１５１の長さを設定することにより、前記赤道面１４２が中心Ｓの位置よりケース本体２の右側にずれて配置される。このように構成することで、前記回転刃３０の回転により挽かれて落下するコーヒー粉が、前記落下口３２内で回転方向後側である右側に偏るのに対して、その右側に前記凸面部１０２を配置することにより、コーヒー粉が前記ドリッパー８内で偏った山状にならないように、均等に供給することができる。
【００９２】
また、図１２に示すように、前記本体側筒部７３の幅広な突起状嵌合部１６２の外周には、クリック用の係入凹部１６９が設けられる。一方、図８に示すように、前記係入凹部１６９に係入するクリック用の突起部１７０が、前記下向き段部１６７Ａの下方で前記取付筒部８３の内面に突設される。
【００９３】
前記筒状体８１を前記本体側筒部７３に結合する際には、前記筒状体８１を回すことにより、前記突起状嵌合部１６１，１６２が前記下向き段部１６７，１６７Ａの下に係入すると共に、突起部１７０が突起状嵌合部１６２の外周に圧接して僅かに弾性変形し、前記突起状嵌合部１６１，１６２の縁部が当接部１６８，１６８Ａに当接すると、係入凹部１６９内に突起部１７０が嵌入し、クリック感が得られる。
【００９４】
そして、前記突起部１７０の前記突起状嵌合部１６２の外周への圧接と、前記係入凹部１６９内への嵌入により、前記本体側筒部７３に位置決め状態で前記筒状体８１が連結される。これにより、前記ミル１７の駆動による振動などにより、前記筒状体８１が前記本体側筒部７３から外れることが防止される。
【００９５】
前記取付部材７２及び前記筒状体８１は導電材料からなり、この例では導電性合成樹脂製である。また、前記接続ボス部７９には、固定手段たる導電性のビス１７１により導線１７２の一端が接続され、この導線１７２の他端が前記底板２２に電気的に接続される。従って、前記分散手段１０１は、前記筒状体８１、前記取付部材７２及び導線１７２により、前記底板２２に電気的に接続される。
【００９６】
次に、前記コーヒーメーカー１の使用方法の一例について説明する。まず、使用者は、前記電源スイッチ４３をオンにする。次に、使用者は、前記ドリッパー８内に前記ペーパーフィルター１０をセットすると共に、前記ドリッパー８を飲料サーバー１３の蓋体１６に装着する。この場合、前記蓋体１６の装着受け部１０６に、前記ドリッパー８の下部の装着部１０７を遊嵌させることにより、前記飲料サーバー１３に前記ドリッパー８を安定して装着することができる。
【００９７】
そして、使用者は、前記ドリッパー８を装着した前記飲料サーバー１３を、前記庇部５の下方へ前側から後側に向かって水平に差し入れ、前記飲料サーバー１３を前記載置部４Ａの加熱板１１上に載置する。このように前記ドリッパー８を装着位置にセットすると、このドリッパー８に導電レバー２１が接触した後、この導電レバー２１が装着位置に揺動し、これを前記スイッチ１３９が検出する。この結果、前記ミル１７，前記ヒーター１２及び前記送湯手段９が作動可能な状態となる。
【００９８】
また、使用者は、前記ミル１７にコーヒー豆を投入する前に、前記ダイヤル３９を操作して好みの粒度に調整しておく。そして、前記貯水部６内に、抽出するコーヒー液の杯数に応じた量の水を入れる。更に、前記ミル１７のミル蓋体２６を外し、前記投入口２４から前記ホッパー２５内に所定量のコーヒー豆を入れる。なお、この段階では、前記シャッター９１が前記落下口３２を塞いだ状態であり、前記ミル１７とドリッパー８内とが連通していない。
【００９９】
そして、使用者が前記スイッチ４２を操作すると、以下の動作が順次行われる。まず、前記シャッター駆動手段９３が、前記落下口３２を開く方向に、前記シャッター９１を移動させる。これによって、前記落下口３２が開き、前記ミル１７が前記ドリッパー８内と連通する。次に、前記ミル１７が作動する。このミル１７を作動させるために、前記ミルモーター３５が回転駆動すると、前記シューター部２７内のコーヒー豆が、前記ミルスクリュー２９により前記回転刃３０と固定刃３１との間に向けて送られ、これらの回転刃３０と固定刃３１との間で挽かれてコーヒー粉（挽き豆）となる。そして、このコーヒー粉が、前記落下口３２から前記ドリッパー８にセットされた前記ペーパーフィルター１０内に落下供給される。
【０１００】
前記落下口３２からコーヒー粉が落下供給されると、前記分散手段１０１の凸面部１０２の上にコーヒー粉が落下し、コーヒー粉が凸面部１０２に当たって分散して落下する。この場合、前記回転刃３０の回転により挽かれて落下するコーヒー粉は、前記落下口３２内において、前記回転刃３０の回転方向後側である右側に偏るが、このようにコーヒー粉がより多く排出される場所に前記分散手段１０１の凸面部１０２を設けることで、コーヒー粉が均等に分散して前記ペーパーフィルター１０内に貯められる。これによって、前記ペーパーフィルター１０の中心から外れた位置が高くなるような山状にコーヒー粉が貯まることなく、凹凸が緩和された状態でコーヒー粉が貯まることになる。
【０１０１】
また、前記ミル１７の作動と同時に、前記加熱手段７への通電を開始する。これによって、前記貯水部６内の水が加熱されて湯となる。次に、前記ミル１７がコーヒー豆を全て挽き終わったことを検知すると、このミル１７を停止させると共に、前記シャッター駆動手段９３により、前記落下口３２を閉じる方向に前記シャッター９１を移動させる。なお、前記ミルモーター３５に流れる電流を検知することで、コーヒー豆を挽き終わったか否かを判断することができる。また、前記モーター５３を停止させることで、前記ノズル本体５１の回転を停止させる。なお、この時点で、前記貯水部６内の水は未だ湯になっていない。
【０１０２】
次に、前記貯水部６内の水が、コーヒー液の抽出に適した所定温度（８０〜９０℃）の湯になったことが、温度センサ（図示せず）により検知されると、前記加熱手段７へ供給する電力を停止させる。そして、前記送湯手段９が作動して前記ドリッパー８へ第一回目の給湯を行う。
【０１０３】
前記送湯手段９が作動して前記ドリッパー８へ給湯を行う前に、前記モーター５３が駆動し、ノズル本体５１が一定速度で回転する。前記ノズル本体５１の回転中、前記貯水部６内の湯が、前記送湯手段９により前記送液路を介してノズル本体５１内の湯受け空間６３に供給される。この湯受け空間６３に供給された湯は、回転する前記ノズル本体５１に設けられた複数の前記ノズル７１，７１Ａ，７１Ｂの吐出口５２から斜め内側下方に向かって吐き出され（図１）、前記ドリッパー８内のコーヒー粉に均一に回し掛けされる。また、複数のノズル７１，７１Ａ，７１Ｂの吐出口５２，５２，５２が前記ノズル本体５１の径方向にずらして配置されているため、湯は、前記ドリッパー８内のコーヒー粉に対し同心円状に回し掛けされる。従って、前記ドリッパー８の中央部において、径方向にも均一に湯が供給される。そして、所定時間経過後、前記送湯手段９が停止して第一回目の送湯が終了する。同時に、前記モーター５３を停止させることで、前記ノズル本体５１の回転を停止させる。この第一回目の送湯により、前記ペーパーフィルター１０内のコーヒー粉は蒸らされる。
【０１０４】
第一回目の送湯終了から所定蒸らし時間経過すると、蒸らし工程が終了する。そして、この蒸らし工程が終了した後、前記送湯手段９が作動して、前記ドリッパー８へ第二回目の送湯を行う。なお、前述した通り、前記貯水部６内の水の量が、抽出するコーヒー液の杯数に応じた量であるので、前記貯水部６内の全ての湯を前記ドリッパー８に供給すれば、所定の杯数のコーヒー液が得られることになると共に、前記貯水部６内が空になる。また、第二回目の送湯の際にも、前記ノズル本体５１が回転し、湯が前記吐出口５２から吐き出され、前記ドリッパー８内のコーヒー粉に対し同心円状に均一に回し掛けされる。なお、前記ノズル本体５１の回転速度は、５〜１０回転／分程度である。これにより、前記ドリッパー８にセットされたペーパーフィルター１０に貯められたコーヒー粉の中央部に湯を均等に注ぐことができるので、コーヒー液を良好に抽出して美味しいコーヒー液を得ることができる。なお、前記ドリッパー８において抽出されたコーヒー液は、前記ドリッパー８の透孔１１５と前記飲料サーバー１３の蓋体１６の中央開口部１６Ａを通過して、前記飲料サーバー１３内に貯められる。また、第二回目の送湯と同時に、前記ヒーター１２への通電を開始する。これによって、前記加熱板１１に載置された前記飲料サーバー１３及びこれに貯められたコーヒー液が保温される。なお、前記ヒーター１２への通電は、通電開始から所定時間（例えば３０分間）である。そして、前記貯水部６内の湯が全て前記ドリッパー８に送られて送湯が完了した後、前記モーター５３を停止させることで、前記ノズル本体５１は回転を停止する。
【０１０５】
前記ミル１７の回転刃３０と固定刃３１とによりコーヒー豆を粉砕することで、前記コーヒー粉が帯電する。なお、前記コーヒー粉の粒子は、同じ極性に帯電する。即ち、コーヒー粉の粒子同士が電気的に反発した状態となる。この結果、前記コーヒー粉が前記落下口３２から落下する際、前記隙間１０５からドリッパー８の外側にこぼれ易くなる。
【０１０６】
これに対して、装着位置の前記ドリッパー８に前記導電レバー２１が接しているため、前記ペーパーフィルター１０内に落下した前記コーヒー粉の電荷は、前記ペーパーフィルター１０から前記ドリッパー８と前記導電レバー２１と導線２３を経て底板２２に移動して、これに貯められる。なお、この底板２２に貯められた電荷は、徐々に外部に自然放電される。この結果、前記ペーパーフィルター１０内に貯められたコーヒー粉は、帯電していない状態となる。従って、前記落下口３２から落下してくる前記コーヒー粉は、前記ペーパーフィルター１０内に貯められたコーヒー粉によって反発されることがない。このため、前記コーヒー粉が前記ドリッパー８から漏れ難くすることができる。なお、前記ペーパーフィルター１０の材質である紙は、僅かに電気を通すことができるので、導電材料と見なすことができる。このため、前記コーヒー粉の電荷は、前記ペーパーフィルター１０から前記ドリッパー８を介して前記導電レバー２１に逃がすことができる。
【０１０７】
なお、落下中のコーヒー粉の粒子同士は、未だ帯電しているため、広がりながら落下することになる。この落下中のコーヒー粉は、前記筒状体８１の取付筒部８３の下端近傍で、前記分散手段１０１に接触する。このように、前記コーヒーミル１７によって挽かれて帯電したコーヒー粉が前記分散手段１０１に接触すると、コーヒー粉の電荷が前記分散手段１０１から前記筒状体８１、前記取付部材７２及び導線１７２を通じて、前記底板２２に移動した後、この底板２２から外部に自然放電される。しかも、コーヒー粉が前記内部落下路３３を落下する際、導電材料からなる前記取付部材７２及び筒状体８１にコーヒー粉が接触することにより、コーヒー粉の電荷を底板２２に逃がすことができる。この結果、コーヒー粉同士が反発し難くすることができるので、コーヒー粉が抽出具から漏れ難くすることができる。また、凸面部１０２は、上部に双半円錐部分１４４を有する双円錐であるため、その外面形状に案内されてコーヒー粉が均等に落下し、しかも、凸面部１０２にコーヒー粉が堆積することなく、その外面形状により滑り落ち、付着を防止できる。
【０１０８】
更に、前述したとおり、落下中のコーヒー粉と前記ペーパーフィルター１０内に貯められたコーヒー粉は反発しない。即ち、落下中のコーヒー粉が広がる電気的な要素は、落下中のコーヒー粉自体の電荷のみである。従って、下方からの反発力がないため、落下中のコーヒー粉の広がりが抑えられる。更に、前述したように、導電材料からなる前記取付部材７２及び筒状体８１にコーヒー粉が接触することにより、コーヒー粉の電荷を底板２２に逃がすことができるので、落下中のコーヒー粉が広がる電気的な要素は、落下中に前記取付部材７２及び筒状体８１に触れなかった少量のコーヒー粉自体の電荷のみである。このため、前記隙間１０５の距離が適正であれば、広がって落下するコーヒー粉を前記ペーパーフィルター１０で十分受けることができるので、前記コーヒー粉が前記ドリッパー８から漏れ難くすることができる。
【０１０９】
一方、コーヒー豆が接触する前記回転刃３０と固定刃３１又はその周辺の部材は、コーヒー粉と逆の極性に帯電する。しかしながら、周囲の物体との間で電荷の授受が行われることで、長期的に、電気的中性に戻る。
【０１１０】
以上のように本実施例では、本体たるケース本体２と、このケース本体２に設けられるミル１７と、このミル１７の排出口たる落下口３２の下方に配置される抽出具としてのドリッパー８及びペーパーフィルター１０と、これらの抽出具に湯を供給するためのノズル体たる湯供給部１８とを有して構成されるコーヒーメーカー１において、前記落下口３２が前記抽出具の中央部の上方に位置し、前記落下口３２の下方にコーヒー粉の分散手段１０１が設けられるから、コーヒー粉が前記抽出具内で山状にならないように均等に溜められ、コーヒーを良好に抽出することができる。
【０１１１】
また、前記ミル１７の排出口たる落下口３２の下部に筒状体８１が設けられ、この筒状体８１に前記分散手段１０１が設けられるから、構造を簡単にして安価に作製することができる。
【０１１２】
また、前記分散手段１０１が、上方に凸となる凸面部１０２を有するから、コーヒー粉が前記抽出具内で山状にならないように均等に溜められ、これにより、コーヒーをより良好に抽出することができる。
【０１１３】
また、前記凸面部１０２が、上方に凸となる双半円錐部分１４４を有するから、前記凸面部１０２上にコーヒー粉が残り難くすることができる。
【０１１４】
また、前記凸面部１０２が、軸たる中心軸１４３が水平な双円錐であるから、コーヒー粉が前記抽出具内で山状にならないように均等に溜められると共に、前記分散手段１０１の水平軸たる取付軸１５１を中心として、いかなる角度で取付けても、上方に凸となる双半円錐部分１４４を有することができるので、より安定した分散の効果が得られ、これにより、コーヒーをより良好に抽出することができる。
【０１１５】
また、前記ミル１７が回転刃３０を有し、この回転刃３０の回転方向後側に前記凸面部１０２を偏位させたから、コーヒー粉がより多く排出される場所に分散手段１０１の凸面部１０２を設けることができるので、前記コーヒー粉の分散をより効率的に行うことができる。
【０１１６】
更に、前記分散手段１０１が、凸面部１０２と取付軸１５１とを有し、これらが回転体形状であり且つ金属で一体成形されているから、樹脂製などの場合に比べて、取付軸１５１を細くすることができ、この取付軸１５１がコーヒー粉の排出の妨げになることを抑えることができるばかりでなく、製造が容易で且つ強度を高めることができる。
【０１１７】
また、前記分散手段１０１が導電材料である金属で構成され、前記本体たるケース本体２に電荷を一時的に貯める貯電部材たる底板２２が設けられ、前記分散手段１０１が前記底板２２と電気的に接続されるから、前記ミル１７によって挽かれて帯電したコーヒー粉が前記分散手段１０１に接触すると、前記コーヒー粉の電荷が前記分散手段１０１から導電材料たる筒状体８１、取付部材７２及び導線１７２を通じて、前記底板２２に移動した後、この底板２２から外部に自然放電される。この結果、コーヒー粉同士が反発し難くすることができるので、コーヒー粉が抽出具から漏れ難くすることができる。
【０１１８】
以下、実施例上の効果について説明する。ミル１７の排出口たる落下口３２の下方に取付体たる筒状体８１が設けられ、この筒状体８１に分散部たる凸面部１０２が設けられているから、取付構造を簡易にできるので、安価に作製することができる。
【０１１９】
また、前記分散手段１０１が、軸たる取付軸１５１が水平でかつ上方に凸となる分散部たる双円錐の凸面部１０２を有するから、コーヒー粉がドリッパー８内で山状にならないように均等に溜められ、これにより、コーヒーをより良好に抽出することができる。
【０１２０】
また、双円錐である前記凸面部１０２は、前記中心軸１４３を含む垂直面に対して面対称をなすから、中心軸１４３の両側下方に均等にコーヒー粉を分散することができる。
【０１２１】
また、前記庇部底板５Ｋの前記受筒部６６に上向きの段部６７を設けると共に、この段部６７内に嵌合する外鍔部７６を取付部材７２に設け、それら本体側位置決め部たる段部６７と取付部材側位置決め部たる外鍔部７６により、ケース本体２への取付部材７２の位置決め手段を構成したから、突起状嵌合部１６１，１６２を所定の向きにして取付部材７２をケース本体２に取り付けることができる。
【０１２２】
また、前記回動結合機構８２は、前記取付部材７２の本体側筒部７３の下端外周に突起状嵌合部１６１，１６２を設け、前記筒状体８１に前記突起状嵌合部１６１，１６２を軸方向から挿通する挿通溝部１６６，１６６Ａを設けると共に、挿通位置から回動して前記突起状嵌合部１６１，１６２が係止する下向き段部１６７，１６７Ａを設けたから、筒状体８１を軸方向に移動した後、角度回動するという簡単な操作により、本体側筒部７３に筒状体８１を着脱可能に取り付けることができる。
【０１２３】
また、前記突起状嵌合部１６１，１６２の縁部が当接部１６８，１６８Ａに当接した取付状態で、前記分散手段１０１の中心軸１４３がケース本体２の左右方向に位置決めされるように回動結合機構８２が構成されているから、分散手段１０１の水平方向における向きを正しく取り付けることができる。
【０１２４】
また、前記本体側筒部７３の幅広な突起状嵌合部１６２の外周には、クリック用の係入凹部１６９が設けられ、この係入凹部１６９に係入するクリック用の突起部１７０が前記下向き段部１６７Ａの下方で前記取付筒部８３の内面に突設されているから、正しい取付位置でクリック感が得られると共に、ミル１７の駆動による振動などにより、筒状体８１が不用意に外れることがない。
【０１２５】
また、コーヒー粉がより多く排出される場所に分散手段１０１の凸面部１０２を設けると共に、凸面部１０２を偏位させた方向とは反対側、即ち落下するコーヒー粉が少ない場所に、前記取付軸１５１の基端側を固定する取付腕部８４を、前記取付筒部８３の下端から下方に突出させて設けたことで、前記取付腕部８４にコーヒー粉が当たりにくくして、この取付腕部８４へのコーヒー粉の付着やコーヒー粉の偏った分散を抑制することができる。
【０１２６】
また、前記ケース本体２の材質と前記取付部材７２及び筒状体８１の材質が異なり、前記本体側筒部７３に前記取付筒部８３を結合することにより、前記分散手段１０１と底板２２とを電気的に接続することができ、また、前記取付部材７２と底板２２を前記導線１７２により接続したため、この導線１７２を含む電気的接続構造が前記ケース本体２に内蔵され、外部に露出することがない。
【０１２７】
また、コーヒー粉が前記内部落下路３３内を落下し、この内部落下路３３が、導電材料からなる取付部材７２及び筒状体８１を有して構成されるので、前記取付部材７２及び筒状体８１の内面にコーヒー粉が接触すると、コーヒー粉の電荷が前記導線１７２を通じて前記底板２２に移動した後、この底板２２から外部に自然放電される。このように前記ケース本体２には、前記取付部材７２及び筒状体８１を備えた導電性通路たる導電性筒部が設けられる。
【０１２８】
また、本体たるケース本体２と、このケース本体２に設けられるミル１７と、このミル１７のコーヒー粉の排出口たる落下口３２の下方に配置される抽出具たるドリッパー８と、このドリッパー８に湯を供給するためのノズル体たる湯供給部１８とを有して構成されるコーヒーメーカー１において、前記落下口３２が前記ドリッパー８の中央部の上方に位置し、前記湯供給部１８が、前記落下口３２を中心に回動可能に設けられる環状のノズル本体５１と、このノズル本体５１の下部に設けられる吐出口５２とを有すると共に、前記ノズル本体５１を回動させるための電動機たるモーターを有するから、吐出口５２から吐出された湯が前記ドリッパー８内で均等に回し掛けされることで、コーヒーが良好に抽出され、美味しいコーヒーを淹れることができる。
【０１２９】
また、湯が前記ドリッパー８の中央部に落下するように、前記吐出口５２が回動中心Ｓの方向に傾斜するものであるから、前記ミル１７が設けられたコーヒーメーカー１であっても、前記ドリッパー８の中央部に湯を回し掛けすることで、コーヒーをより良好に抽出して美味しいコーヒーを淹れることができる。
【０１３０】
また、前記回動結合機構８２により前記筒状体８１を前記本体側筒部７３に連結すると共に、連結した筒状体８１の上縁面８３Ｊにより前記ノズル本体５１が回動可能に支持されるから、前記筒状体８１を着脱することにより、前記ノズル本体５１を簡単に外して手入れすることができるばかりでなく、前記筒状体８１により前記ノズル本体５１の取り外しを容易に行うことができる。
【０１３１】
また、前記排出口たる落下口３２の下方にコーヒー粉の分散手段１０１が設けられるものであるから、コーヒー粉が前記ドリッパー８内で山状にならないように均等に貯められ、これにより、コーヒーをより良好に抽出して美味しいコーヒーを淹れることができる。
【０１３２】
また、前記ノズル本体５１の周壁部５６の外周に複数の歯部５７を設けることにより、ノズル本体５１に従動ギア５８を一体に形成したから、構造簡易にして駆動ギアに歯合する従動ギア５８を設けることができる。また、前記ノズル本体５１の前記底板部５５は、前記ノズル７１，７１Ａ，７１Ｂが設けられた側が低くなるように形成され、特に、前記ノズル本体５１の中心に対して、９０°以内の範囲に配置されるから、前記ノズル本体５１の前記湯受け空間６３の湯量が少なくなっても、ノズル７１，７１Ａ，７１Ｂへと湯が集まり、これにより前記ノズル本体５１内の湯を残さず、前記吐出口５２から注ぐことができる。更に、複数の前記ノズル７１，７１Ａ，７１Ｂの吐出口５２，５２，５２が、前記中心Ｓからの距離が異なる位置に配置されると共に、前記回動中心Ｓに対して同じ角度で斜設されるから、前記ノズル本体５１が回転する状態で、複数の前記ノズル７１，７１Ａ，７１Ｂから吐き出された湯が、前記ドリッパー８の中心Ｓから異なる位置に同心円状に落下するため、前記ドリッパー８に均一に湯を供給することができる。また、前記ノズル本体５１の湯受け空間６３の上部が開口し、この湯受け空間６３の上部開口から湯を供給することで、前記ノズル７１の吐出口５２には送湯手段９の圧力が直接加わらないから、前記吐出口５２から湯をやさしく注ぐようにドリッパー８に供給することができる。
【０１３３】
また、前記ノズル本体５１の内鍔部６２を筒状体８１の上縁面８３Ｊが当接することにより、回転する前記ノズル本体５１を安定して支持することができる。また、前記分散手段１０１を備えた前記筒状体８１により、本体の一部を構成する前記本体側筒部７３に前記ノズル本体５１を装着する装着手段を備え、この装着手段が、前記本体側筒部７３に対して前記筒状体８１を角度回動して着脱する前記回動結合機構８２であるから、前記筒状体８１の着脱作業が容易となる。更に、前記回動結合機構８２において、前記当接部１６８，１６８Ａと突起状嵌合部１６１，１６２の縁部により前記分散手段１０１の位置決め手段を構成したから、前記分散手段１０１を所定の向きに取り付けることができる。
【０１３４】
また、本体たるケース本体２と、このケース本体２に取り付けられたミル１７と、このミル１７によって挽かれた豆を受ける抽出具としてのドリッパー８及びペーパーフィルター１０とを有するコーヒーメーカー１において、前記ケース本体２に導電材料からなる接触部材たる導電レバー２１が設けられ、前記ドリッパー８が導電材料により構成され、このドリッパー８が前記導電レバー２１に接触すると共に、前記ケース本体２に電荷を一時的に貯める貯電部材たる底板２２が設けられ、この底板２２が前記導電レバー２１と電気的に接続されるものであり、前記ミル１７によって挽かれて帯電したコーヒー粉が前記ペーパーフィルター１０に接触すると、前記コーヒー粉の電荷が前記ペーパーフィルター１０から前記ドリッパー８及び前記導電レバー２１を経て前記底板２２に移動した後、この底板２２から外部に自然放電される。この結果、コーヒー粉同士が反発し難くすることができるので、落下するコーヒー粉が前記ドリッパー８から漏れ難くすることができる。また、前記ドリッパー８が導電性合成樹脂で構成されるものであり、抽出に適した形状の前記ドリッパー８を容易に形成することができる。前記ドリッパー８の内部には前記リブ部１１４が形成されるが、金属製の場合、プレスにしても鋳造にしても、十分な高さのリブ部が形成されたものは製作が難しく、コストも高くなる。これに対して、導電性合成樹脂製の場合、抽出に適した形状のドリッパー８を樹脂成型により安価に製造することができる。また、接触部材たる前記導電レバー２１が、前記ドリッパー８の有無を検知する検知手段を兼ねるものであり、部品の増加を抑えながら、前記コーヒーメーカー１を正常に作動させることができる。
【０１３５】
また、前記容器本体１４の底板部１０８に、この底板部１０８より径小なリング状の段差部１０９が下方に膨出形成され、この段差部１０９が遊嵌するリング状の内縁枠１１０が前記ヒーター１２の上面に突出形成され、載置状態で前記容器本体１４の段差部１０９が前記ヒーター１２側の内縁枠１１０に囲まれるから、前記加熱板１１に前記飲料サーバー１３を位置決め状態で載置することができ、この飲料サーバー１３に装着した前記ドリッパー８を、前記導電レバー２１により確実に検出することができる。同様に、前記落下口３２の中心Ｓと前記ドリッパー８の中心との位置合わせも容易に行うことができる。更に、前記導電レバー２１が待機位置にある状態では、前記ミル１７，サーバー加熱手段たるヒーター１２及び送湯手段９が作動しないから、前記ドリッパー８及び飲料サーバー１３を装着しない状態での誤操作を防止できる。
【０１３６】
更に、前記蓋体１６の装着受け部１０６に、前記ドリッパー８の下部の装着部１０７を遊嵌することにより、前記飲料サーバー１３に前記ドリッパー８を安定して装着することができる。また、前記底部１１１の下面から下方に筒部１１６を突設し、この筒部１１６に透孔１１５が穿設されるから、前記筒部１１６によって前記透孔１１５を落下するコーヒー液が前記底部１１１の下面に回り込むことなく、前記筒部１１６の下端から下方へ落下せしめることができる。更に、前記底板２２を、前記ケース本体２を構成する合成樹脂より比重が大きいステンレス製とすることにより、前記底板２２が錘になるため、安定してコーヒーメーカー１を設置することができる。
【０１３７】
また、前記庇部５の庇部底板５Ｋに設けられた前記開口部１２４に、前記シール部材１３６を設けたから、前記開口部１２４に前記導電レバー２１を可動に設けながら、前記ケース本体２内への湯気や埃などの侵入を前記シール部材１３６により防止することができる。また、接触部材たる前記導電レバー２１が断面円形の金属線材で構成されると共に、本体たる前記ケース本体２に対し可動に設けられるものであり、前記導電レバー２１を細い形状に形成することができ、この結果、前記導電レバー２１を設けるために前記ケース本体２に形成される隙間たる前記開口部１２４を狭くして、仮に前記シール部材１３６が無くても、前記ドリッパー８から前記ケース本体２内に入る湯気の量を少なくすることができる。また、前記導電レバー２１は金属丸棒を略Ｕ字形に屈曲形成してなるから、構造簡易にして安価に製造できる。
【０１３８】
また、前記ドリッパー８の装着状態で、このドリッパー８と庇部５との間に前記隙間１０５が設けられるから、前記加熱板１１上への前記飲料サーバー１３の出し入れを容易に行うことができる。更に、前記ドリッパー８と前記庇部５の庇部底板５Ｋとの間に隙間１０５が設けられるから、前記ドリッパー８内のコーヒー粉に湯が注がれて膨らむ様子を見ることができる。
【実施例２】
【０１３９】
図１４は本発明の実施例２を示し、上記実施例１と同一部分に同一符号を付し、その詳細な説明を省略して詳述する。この例では、分散手段の変形例１０１Ａを示す。この分散手段１０１Ａは、凸面部１０２Ａと、固定部１０３とから構成される。そして、前記凸面部１０２Ａは、双半円錐部分１４４Ａのみから構成される。この双半円錐部分１４４Ａは、実施例１で説明した前記凸面部１０２を、中心軸１４３を含む水平面で略２分の１に形成したものである。即ち、２つの半円錐部分１４１Ａ，１４１Ａの半円形で且つ合同の底面同士を合わせた形状である。そして、２つの半円錐部分１４１Ａ，１４１Ａの連結箇所が赤道面１４２Ａとなる。即ち、本例における赤道面１４２Ａは半円形である。なお、本例においても、２つの半円錐部分１４１Ａ，１４１Ａは合同である。また、前記中心軸１４３を含む下面部１４７を下側にして配置される。そして、この例の凸面部１０２Ａも、実施例１と同様に前記中心軸１４３を含む垂直面に対して面対称をなす。
【０１４０】
従って、この例でも前記赤道面１４２Ａの外周における円弧状部分が上部に位置すると共に、２つの半円錐部分１４１Ａ，１４１Ａの側面同士が角をなすため、球体に比較して凸面部１０２Ａにコーヒー粉が堆積し難くなる。
【０１４１】
このように本実施例では、請求項１〜４，６及び８に対応して、上記実施例１と同様な作用・効果を奏する。
【実施例３】
【０１４２】
図１５は本発明の実施例３を示し、上記各実施例と同一部分に同一符号を付し、その詳細な説明を省略して詳述する。この例では、分散手段の変形例１０１Ｂを示す。この分散手段１０１Ｂは、凸面部１０２Ｂと、固定部１０３とから構成される。そして、前記凸面部１０２Ｂは球体１８１であり、この球体１８１からなる凸面部１０２Ｂの上半分が半球体１８２である。また、前記球体１８１の中心１８１Ｓは、前記回転刃３０の回転方向後側に偏位させる。なお、前記球体１８１を半分にした前記半球体１８２により凸面部１０２Ｂを構成してもよい。そして、この例の凸面部１０２Ｂも、上記各実施例と同様に前記中心軸１４３を含む垂直面に対して面対称をなす。また、前記凸面部１０２Ｂと取付軸１５１が回転体形状である。
【０１４３】
このように本実施例では、請求項１〜３及び６〜８に対応して、上記各実施例と同様な作用・効果を奏する。
【実施例４】
【０１４４】
図１６は本発明の実施例４を示し、上記各実施例と同一部分に同一符号を付し、その詳細な説明を省略して詳述する。この例では、分散手段の変形例１０１Ｃ示す。この分散手段１０１Ｃは、凸面部１０２Ｃと、固定部１０３とから構成される。そして、前記凸面部１０２Ｃは円錐形をなし、取付状態で頂点１４８が上を向くと共に、下部に円形の底面部１４７Ｃを有する。また、本例の凸面部１０２Ｃの頂角は、前記θＳより小さく６０°程度である。そして、この例の凸面部１０２Ｃも、実施例１と同様に前記中心軸１４３を含む垂直面に対して面対称をなす。
【０１４５】
従って、この例でも、前記凸面部１０２Ｃの上端に頂点１４８を有するため、球体に比較して凸面部１０２Ｃにコーヒー粉が堆積し難くなる。
【０１４６】
このように本実施例では、請求項１〜３及び６〜８に対応して、上記各実施例と同様な作用・効果を奏する。
【実施例５】
【０１４７】
図１７は本発明の実施例５を示し、上記各実施例と同一部分に同一符号を付し、その詳細な説明を省略して詳述する。この例では、分散手段の変形例１０１Ｄを示す。この分散手段１０１Ｄは、凸面部１０２Ｄと、固定部１０３とから構成される。そして、前記凸面部１０２Ｄは双円錐である。この凸面部１０２Ｄは、中心軸１４３の軸方向の長さの異なる２つの円錐部分１４１Ｄ，１４１Ｄ´を底面同士で連結して一体化した立体であり、２つの円錐部分１４１Ｄ，１４１Ｄ´の連結箇所が赤道面１４２Ｄである。また、中心軸１４３を水平方向に配置した状態で、前記凸面部１０２Ｄの上半分の双半円錐部分１４４Ｄのみとしてもよい。そして、この例の凸面部１０２Ｄも、上記各実施例と同様に、前記中心軸１４３を含む垂直面に対して面対称をなす。また、凸面部１０２Ｄと取付軸１５１が回転体形状である。なお、中心軸１４３の方向において、円錐部分１４１Ｄ´が円錐部分１４１Ｄより長く形成される。
【０１４８】
従って、この例でも、前記赤道面１４２Ｄの外周において、２つの前記円錐部分１４１Ｄ，１４１Ｄ´の側面同士が角をなすため、前記凸面部１０２Ｄにコーヒー粉が堆積し難くなる。
【０１４９】
このように本実施例では、請求項１〜３及び６〜８に対応して、上記各実施例と同様な作用・効果を奏する。
【０１５０】
なお、本発明は以上の実施例に限定されるものではなく、本発明の要旨の範囲内で種々の変実施が可能である。例えば、双円錐の凸面部の変形例として、赤道面が楕円の双錐体である双楕円錐や、赤道面が多角形の双錐体である双角錐などの凸面部としてもよい。また、実施例３の球状の凸面部に代えて、回転楕円体（長球或いは扁球）の凸面部としてもよい。また、実施例４の円錐の凸面部に代えて、三角錐や四角錐などの凸面部としてもよい。更に、凸面部は中空でもよい。また、実施例では、中心軸を中心に分散手段を回転させてナットに螺合させることにより、取付腕部に取り付けたが、取付腕部に取付軸を直接螺合させるなどして取り付けてもよい。また、取付腕部に取付軸を合成樹脂により一体成形し、この合成樹脂製の取付軸に金属製の凸面部を取り付けてもよい。更に、請求項７以外では、凸面部と取付軸を別体で且つ別材質とし、例えば、取付軸を導電性合成樹脂製とし、その取付軸に金属製の凸面部を取り付けてもよい。
【０１５１】
更に、実施例では、ノズル本体に従動ギアを設け、この従動ギアと歯合する駆動ギアを電動機により回転させてノズル本体を回転させるようにしたが、ギアの歯合以外でも、ローラやベルトなどを用いて電動機の回転をノズル本体に伝達するようにしてもよい。また、筒状体の装着には、螺子などの他の回転式の取付構造を用いてもよく、回転式以外の装着構造でもよい。更に、上記実施例では、ドリッパーは飲料サーバーに載せられるが、ドリッパーを本体に取り付けてもよく、例えば、ドリッパーを収納ケース内に収納し、この収納ケースの左右方向一側を縦方向の枢軸により本体に回動可能に取り付け、前記収納ケースを前記ドリッパーと共に回動することにより、前記本体に対して出没自在に設けてもよい。また、上記実施例では、ミルは臼式のものを示したが、ブレード式のミルであってもよい。更に、上記実施例では、導電レバーが待機位置にある状態では、ミル，サーバー加熱手段たるヒーター及び送湯手段が作動しないようにしたが、装置全体が作動しないようにしてもよい。また、ノズル本体には複数（３個）の吐出口を設けたが、吐出口の数は２個や４個以上でもよい。更に、例えば実施例で示した排出口たる落下口の下方に斜めの筒部を設け、この筒部からコーヒー粉が抽出具に落下する場合などには、排出口の下方であって、コーヒー粉が落下する筒部の真下に分散手段を設ければよい。
【符号の説明】
【０１５２】
１  コーヒーメーカー
２  ケース本体（本体）
８  ドリッパー（抽出具）
１０  ペーパーフィルター（抽出具）
１７  ミル
１８  湯供給部（ノズル体）
２２  底板（貯電部材）
３２  落下口（排出口）
７２  取付部材（導電部材）
８１  筒状体（導電部材）
１０１，１０１Ａ，１０１Ｂ，１０１Ｃ，１０１Ｄ  分散手段
１０２，１０２Ａ，１０２Ｂ，１０２Ｃ，１０２Ｄ  凸面部（分散部）
１４１，１４１Ｄ，１４１Ｄ´  円錐部分
１４２，１４２Ａ，１４２Ｄ  赤道面
１４３  中心軸
１４４，１４４Ａ，１４４Ｄ  双半円錐部分
１５１  取付軸（軸・水平軸）
【図１】
2020116270.tif 000003
【図２】
2020116270.tif 000004
【図３】
2020116270.tif 000005
【図４】
2020116270.tif 000006
【図５】
2020116270.tif 000007
【図６】
2020116270.tif 000008
【図７】
2020116270.tif 000009
【図８】
2020116270.tif 000010
【図９】
2020116270.tif 000011
【図１０】
2020116270.tif 000012
【図１１】
2020116270.tif 000013
【図１２】
2020116270.tif 000014
【図１３】
2020116270.tif 000015
【図１４】
2020116270.tif 000016
【図１５】
2020116270.tif 000017
【図１６】
2020116270.tif 000018
【図１７】
2020116270.tif 000019